(57)【要約】【課題】  表水層と水温躍層と深水層とのいずれの層であっても正確に取水して放流できるようにする。【解決手段】  堰堤１の前方で水面に浮かぶフロート５または水面よりも上方で堰堤１よりも前方に突出するデッキ３０が設置されて、このフロート５またはデッキ３０のほぼ真下に、所定の上下間隔で保持可能なフレーム３１Ｂ〜３１Ｇが多段で設けられ、この各フレーム３１Ｂ〜３１Ｇには、上側の遮水膜の下端が下側の遮水膜の上端にオーバーラップして取水口２ａの周囲を遮水可能な遮水膜３４Ｂ〜３４Ｇが吊下げられるとともに、最上部のフレーム３１Ｂの上方に、所定の上下間隔で保持されて取水開口４４を形成する蓋付きフレーム３１Ａでなる整流板４３が設けられ、この整流板４３に、上記フロート５またはデッキ３０に取付けられた昇降機１５のワイヤー３３が連結されて、昇降機１５の駆動によって取水開口４４を所定の取水層内に昇降させる。【選択図】  図１
2005061001.tif 000002
【特許請求の範囲】
【請求項１】
堰堤の下部に形成された取水口の上方位置に、堰堤の前方で水面に浮かぶフロートまたは水面よりも上方で堰堤よりも前方に突出するデッキが設置されて、このフロートまたはデッキのほぼ真下に、所定の上下間隔で保持可能なフレームが多段で設けられ、この各フレームには、上側の遮水膜の下端が下側の遮水膜の上端にオーバーラップして取水口の周囲を遮水可能な遮水膜が吊下げられるとともに、最上部のフレームの上方に、所定の上下間隔で保持されて取水開口を形成する蓋付きフレームでなる整流板が設けられ、この整流板に、上記フロートまたはデッキに取付けられた昇降機のワイヤーが連結されて、昇降機の駆動によって取水開口を所定の取水層内に昇降させることを特徴とする遮水膜昇降式選択取水設備。
【請求項２】
上記堰堤に、各フレームの端部との間の側部隙間を塞ぐ側部遮水カバーが設けられている請求項１記載の遮水膜昇降式選択取水設備。
【請求項３】
上記整流板のフレームに、蓋部分と堰堤との間の上部隙間を塞ぐ上部遮水カバーが設けられている請求項１または２記載の遮水膜昇降式選択取水設備。
【請求項４】
上記整流板のフレームに、蓋部分と堰堤との間の上部隙間を塞ぐ上部遮水カバーが設けられ、この上部遮水カバーは、堰堤の傾斜に倣うようヒンジ結合されて、その自由端部に、堰堤に接触するローラが取付けられている請求項１または２記載の遮水膜昇降式選択取水設備。
【発明の詳細な説明】
【技術分野】
【０００１】
本発明は、取水水深を任意に選択できる遮水膜昇降式選択取水設備に関する。
【背景技術】
【０００２】
従来、選択取水設備としては、ダムの堰堤に深さの異なる取水口を多段で形成して、各取水口のゲートを開閉することで取水水深を選択するか、あるいは底部若しくは堰堤に固定されたテレスコープで上下できるシリンダー若しくは半円筒ゲートで必要な取水水深から取水を行うようにしたものが提案されている。
【０００３】
しかし、ダム湖の水位は常に変動するため、その変化に自動的に追随して、表層部や水温躍層若しくはその直下から有効に取水して放流するには煩雑な操作が多いという問題がある。さらに、既存のダムに新たに選択取水設備を設置するには、土木の大幅な変更を伴うばかりか、放流の一時停止、ときにはダム湖をドライにしなければならないから、施工が困難であるという問題がある。
【０００４】
このような諸問題を解決するために、本発明者等は、水位変動に自動的に追随して有効に取水できるとともに、土木構造物との取り合いを最小限に減らして施工を簡素化できるフロート式選択取水設備を提案した（例えば、特許文献１参照）。
【０００５】
かかるフロート式選択取水設備は、図８および図９に示すように、堰堤１の取水塔２に形成され、バースクリーン３が取付けられた取水口２ａに対して、水位Ｌに応じて昇降するフロート５が設けられ、このフロート５に取付けられた電動ウインチ（昇降機）１５のワイヤー２２が最上部の水中フロート６Ａに連結されている。
【０００６】
この最上部の水中フロート６Ａと最下部の水中フロート６Ｅとの間には、所定の上下間隔が保持されるようチェーン２３Ａ〜２３Ｄで連結された水中フロート６Ｂ〜６Ｄが多段で配置されて、各水中フロート６Ａ〜６Ｅには、取水口２ａの周囲および下側を遮水可能な遮水カーテン１６Ａ〜１６Ｅがそれぞれ設けられている。なお、最下部の水中フロート６Ｅは湖底のアンカーブロック２０にチェーン２３Ｅで連結されている。
【０００７】
そして、水位Ｌに応じて昇降するフロートに取付けた電動ウインチ１５で最上部の水中フロート６Ａを上昇させると、チェーン２３Ａ〜２３Ｄで連結された下側の水中フロート６Ｂ〜６Ｅも同時に上昇して、各水中フロート６Ａ〜６Ｅの遮水カーテン１６Ａ〜１６Ｅで取水口２ａの周囲および下側が遮水されて、水が遮水カーテン１６Ａの上側とフロート５との間の隙間２７からのみ遮水カーテン１６Ａ〜１６Ｅ内に流入して、取水口２ａから取水されるようになる。
【０００８】
したがって、例えば、最上部の遮水カーテン１６Ａとフロート５との間の隙間２７が表水層内に位置するように水中フロート６Ａ〜６Ｅを昇降操作すると、表水層のみを取水口２ａから取水することができ〔図９（ａ）参照〕、最上部の遮水カーテン１６Ａを水温躍層内に位置させると、表水層と水温躍層とを同時に取水口２ａから取水することができ、最上部の遮水カーテン１６Ａを深水層内に位置させると（つまり、遮水カーテンを最下降させる）、全層から取水することができる〔図９（ｂ）参照〕。
【０００９】
したがって、かんがい用水の取水時には水温の高い表水層のみを正確に取水して放流できるとともに、大雨や洪水が終わって清澄になった表水層のみを正確に取水して放流できるようになる。
【特許文献１】特開２００２−２７５８６５号公報
【発明の開示】
【発明が解決しようとする課題】
【００１０】
しかしながら、例えば表水層と深水層との間の水温躍層の濁水だけを正確に取水して放流したいような場合、上記のようなフロート式選択取水設備では、最上部の遮水カーテン１６Ａを水温躍層内に位置させると、表水層と水温躍層とを同時に取水して放流されるという不具合がある。
【００１１】
本発明は、上記問題を解消するためになされたもので、表水層と水温躍層と深水層とのいずれの層であっても正確に取水して放流できる遮水膜昇降式選択取水設備を提供することを目的とするものである。
【課題を解決するための手段】
【００１２】
上記課題を解決するために、本発明は、堰堤の下部に形成された取水口の上方位置に、堰堤の前方で水面に浮かぶフロートまたは水面よりも上方で堰堤よりも前方に突出するデッキが設置されて、このフロートまたはデッキのほぼ真下に、所定の上下間隔で保持可能なフレームが多段で設けられ、この各フレームには、上側の遮水膜の下端が下側の遮水膜の上端にオーバーラップして取水口の周囲を遮水可能な遮水膜が吊下げられるとともに、最上部のフレームの上方に、所定の上下間隔で保持されて取水開口を形成する蓋付きフレームでなる整流板が設けられ、この整流板に、上記フロートまたはデッキに取付けられた昇降機のワイヤーが連結されて、昇降機の駆動によって取水開口を所定の取水層内に昇降させることを特徴とする遮水膜昇降式選択取水設備を提供するものである。
【００１３】
請求項２のように、上記堰堤に、各フレームの端部との間の側部隙間を塞ぐ側部遮水カバーが設けられている構成とすることが好ましい。
【００１４】
請求項３のように、上記整流板のフレームに、蓋部分と堰堤との間の上部隙間を塞ぐ上部遮水カバーが設けられている構成とすることが好ましい。
【００１５】
請求項４のように、上記整流板のフレームに、蓋部分と堰堤との間の上部隙間を塞ぐ上部遮水カバーが設けられ、この上部遮水カバーは、堰堤の傾斜に倣うようヒンジ結合されて、その自由端部に、堰堤に接触するローラが取付けられている構成とすることが好ましい。
【発明の効果】
【００１６】
本発明によれば、フロートまたはデッキに取付けたワイヤーを整流板に連結することより、ワイヤーによる整流板の昇降に連動して、整流板と最上部のフレームとの間の取水開口が昇降するようになるから、取水開口を所定の取水層内に位置させることができる。
【００１７】
したがって、取水開口を表水層内に位置させると、表水層のみを正確に取水して放流でき、水温躍層内に位置させると、水温躍層のみを正確に取水して放流でき、深水層内に位置させると、深水層のみを正確に取水して放流できるようになる。
【００１８】
請求項２のように、堰堤と各フレームとの間の側部隙間を塞ぐ側部遮水カバーを設けると、側部の隙間から他層の水が遮水膜内に流入することを防止できるようになる。
【００１９】
請求項３のように、堰堤と整流板のフレームとの間の上部隙間を塞ぐ上部遮水カバーを設けると、上部の隙間から水が遮水膜内に流入することを防止できるようになる。
【００２０】
請求項４のように、堰堤と整流板のフレームとの間の上部隙間を塞ぐ上部遮水カバーを設け、この上部遮水カバーをフレームにヒンジ結合して、自由端部にローラを取付けると、堰堤が傾斜している場合でも堰堤に倣って上部遮水カバーが揺動するので、上部の隙間から水が遮水膜内に流入することを確実に防止できるとともに、堰堤にローラが接触するので、接触抵抗が減少して、上部遮水カバーがスムーズに揺動するようになる。
【発明を実施するための最良の形態】
【００２１】
以下、本発明を実施するための最良の形態について、図面を参照しながら詳細に説明する。なお、従来技術と同一構成・作用の箇所は、同一番号を付して詳細な説明を省略する。
【実施例１】
【００２２】
図１〜図４はフロートタイプの実施例１であって、図１に示すように、ダムの堰堤（ダム壁）１の下部（ダム底付近）には発電用取水口２ａ−１と利水用取水口２ａ−２とでなる取水口２ａが形成されるとともに、この取水口２ａの前面には、流木等のゴミが取水口２ａに入るのを阻止するバースクリーン（不図示）が取付けられている。
【００２３】
上記取水口２ａが位置する堰堤１の前面（上流側の面）の前方には、水面Lに浮かぶ
フロート５が設置されている（図２（ａ）参照）。
【００２４】
このフロート５の上部には中央と両側に計３台の電動ウインチ（昇降機）１５が設置されている。この各電動ウインチ１５には、図４（ｃ）に示すように、モータ１５ａで駆動される減速機１５ｂにより、正逆回転可能なドラム１５ｆが設けられ、このドラム１５ｆにはワイヤー３３が巻回されている。上記電動ウインチ１５には、具体的に図示しないが堰堤１の上からキャップタイヤケーブルで電力が供給されている。
【００２５】
上記堰堤１の前面には、取水口２ａの両側位置で上下方向に延在する一対のＨ形鋼製ガイドレール４が取付けられている〔図４（ａ）参照〕。
【００２６】
上記フロート５のほぼ真下には、平面視で半円形状のフレーム３１Ｂ〜３１Ｇが多段で（本例では６段）設けられている。
【００２７】
上記各フレーム３１Ｂ〜３１Ｇは、図４（ｂ）に示すように、金属（例えばステンレス）ボックス製の外殻７を有し、この外殻７の内部に浮力材（例えば発泡ウレタン）８が充填されている。
【００２８】
上記各フレーム３１Ｂ〜３１Ｇの浮力は、後述する遮水膜３４Ｂ〜３４Ｇを加えた比重が１近くに設定されて、自ら浮き上がるだけの浮力は無く、後述するチェーン２３Ｂ〜２３Ｆ等の重りで緩やかに沈む（下降）ような浮力に設定されている。なお、各フレーム３１Ａ〜３１Ｇは、外殻７の内部に浮力材８を充填したものではなく、例えばステンレス製パイプを半円形状に湾曲させたものであっても良い。また、最下部のフレーム３１Ｇは、浮力が無くても良い。
【００２９】
最下部のフレーム３１Ｇを除くフレーム３１Ｂ〜３１Ｆの外殻７の両端部は、図４（ａ）に示すように、上記各ガイドレール４にそれぞれ対向されて、この各両端部には、ゴム製のクッション材９を介してローラ基板１０が取付けられ、このローラ基板１０には、各フレーム３１Ｂ〜３１Ｆに作用する波による前方加重Ｆをガイドレール４の前面で受け止めるためのメインローラ１１と、側方加重Ｓをガイドレール４の側面で受け止めるためのサイドローラ１２とが設けられている。なお、１１ａは、後方荷重を受け止めるためのサブローラである。
【００３０】
この各ローラ１１，１２は、上記各加重Ｆ，Ｓを受け止める機能の他、外殻７の両端部をガイドレール４に対して位置決めする機能と、外殻７の両端部がガイドレール４に沿ってスムーズに昇降するようにガイドする機能とを有している。
【００３１】
上記クッション材９は、各フレーム３１Ｂ〜３１Ｆに作用する前方加重Ｆを吸収して、メインローラ１１やガイドレール４及び堰堤１が損壊しないようにするためのもので、必要に応じて設ければよい。
【００３２】
最下部のフレーム３１Ｇの外殻７の両端部は、上記ガイドレール４に固定されている。
【００３３】
上記各フレーム３１Ｂ〜３１Ｇの外周面には、図１に示したように、フレキシビリティを有する合成ゴム若しくは合成樹脂製、あるいは布製の遮水膜３４Ｂ〜３４Ｇがそれぞれ吊下げられている。
【００３４】
上記最上部のフレーム３１Ｂの上方には、フレーム３１Ａにゴム製遮水膜製の蓋４５が水平に張られて、縦横に取付けたチェーン４６で撓みを防止してなる整流板４３が配置されている。なお、フレーム３１Ａは、上記各フレーム３１Ｂ〜３１Ｇと同一構成である。
【００３５】
上記電動ウインチ１５のドラム１５ｆから垂れ下がらせたワイヤー３３は、整流板４３のフレーム３１Ａに連結する一方、この整流板４３のフレーム３１Ａと最上部のフレーム３１Ｂ、このフレーム３１Ｂと２段目のフレーム３１Ｃ、このフレーム３１Ｃと３段目のフレーム３１Ｄ、このフレーム３１Ｄと４段目のフレーム３１Ｅ、このフレーム３１Ｅと５段目のフレーム３１Ｆ、このフレーム３１Ｆと最下部のフレーム３１Ｇとを、それぞれ一定長さのチェーン２３Ａ〜２３Ｆで連結する。
【００３６】
なお、整流板４３のフレーム３１Ａと２段目のフレーム３１Ｂとの間のチェーン２３Ａは、他のチェーン２３Ｂ〜２３Ｆよりも短く（例えば１／３の長さ）に設定されていて、整流板４３のフレーム３１Ａと２段目のフレーム３１Ｂとの間に取水開口４４が形成されるようになる。
【００３７】
そして、電動ウインチ１５のドラム１５ｆによりワイヤー３３を巻き上げた時には、チェーン２３Ａ〜２３Ｆが引き延ばされて整流板４３のフレーム３１Ａと各フレーム３１Ｂ〜３１Ｆが所定の水深位置に引き上げられて保持されるとともに、ドラム１５ｆによりワイヤー３３が緩め下げられた時には、チェーン２３Ｂ〜２３Ｆが弛まされて、整流板４３のフレーム３１Ａを除く各フレーム３１Ｂ〜３１Ｆが最下部のフレーム３１Ｇの上に重なり合って保持されるようになる。
【００３８】
このワイヤー３３の巻き上げと緩め下げとは、整流板４３のフレーム３１Ａと各フレーム３１Ｂ〜３１Ｆの昇降状態に応じて制御する。
【００３９】
上記各遮水膜３４Ｂ〜３４Ｆは、各フレーム３１Ｂ〜３１Ｆが所定の水深位置に保持されているときは、フレーム３１Ｂ〜３１Ｆから吊下げられた状態で、上側となる遮水膜３４の下端が下側となる遮水膜３４の上端に外方からオーバーラップして、隙間を遮水するように吊下げ長さが設定されているとともに、各フレーム３１Ｂ〜３１Ｆが最下部のフレーム３１Ｇの上に重なり合って保持されているときは、厚み方向に重なり合うようになっている。なお、最下部のフレーム３１Ｇの遮水膜３４Ｇの下端は、ダム底の基礎コンクリート４７に着地して周囲を遮水するようになる。
【００４０】
また、図２（ｂ）（ｃ）および図４（ａ）に示したように、上記堰堤１には、整流板４３のフレーム３１Ａと各フレーム３１Ｂ〜３１Ｇの端部との間の側部隙間を塞ぐ側部遮水カバー４８が設けられている。
【００４１】
また、整流板のフレーム３１Ａには、蓋４５と堰堤１との間の上部隙間を塞ぐ上部遮水カバー４９が設けられている。
【００４２】
上記各フレーム３１Ｃ〜３１Ｇの上部には、図４（ｂ）に示したような凹部６ａが形成され、この凹部６ａの底に上記チェーン２３Ｂ〜２３Ｆの下部が連結されるとともに、各フレーム３１Ｂ〜３１Ｆの下部には、ショックアブゾーバー（若しくはダッシュポット）２６が取付けられ、このショックアブゾーバー２６に上記チェーン２３Ｂ〜２３Ｆの上部が連結されている。このショックアブゾーバー２６は、波に対するショックを吸収して遮水膜３４Ｂ〜２３Ｆが揺動するのを防止するためのものであり、必要に応じて取付ければよい。
【００４３】
また、上記凹部６ａは、各フレーム３１Ｂ〜３１Ｆが最下部のフレーム３１Ｇの上に重なり合って保持されるときに、各チェーン２３Ｂ〜２３Ｆ及びショックアブゾーバー２６を収納して、各フレーム３１Ｂ〜３１Ｆが隙間なく重なり合うようにするためのものである。なお、凹部６ａにチェーン２３Ｂ〜２３Ｆが収納されることで、弛んだチェーン２３Ｂ〜２３Ｆによって遮水膜３４Ｂ〜３４Ｇが損傷されるおそれもなくなる。
【００４４】
上記のように構成した第１実施例の遮水膜昇降選択取水設備の取水操作方法を説明する。
【００４５】
図１は、電動ウインチ１５によりワイヤー３３を巻き上げることにより、まず、整流板４３のフレーム３１Ａがワイヤー３３で引き上げられ、チェーン２３Ｂを介して２段目のフレーム３１Ｂが引き上げられ、チェーン２３Ｂを介して３段目のフレーム３１Ｃが引き上げられてというように、フレーム３１Ａ〜３１Ｆが全て引き上げられて、所定の水深位置に保持された状態である。
【００４６】
このとき、整流板４３のフレーム３１Ａと２段目のフレーム３１Ｂとの間に取水開口４４は、常時満水位Ｌの直ぐ下に位置している。
【００４７】
そして、各遮水膜３４Ｂ〜３４Ｇで各フレーム３１Ｂ〜３１Ｆおよび基礎コンクリート４７の間が遮水され、整流板４３のフレーム３１Ａと各フレーム３１Ｂ〜３１Ｇの両側が側部遮水カバー４８で遮水されることから、整流板４３のフレーム３１Ａと２段目のフレーム３１Ｂとの間に取水開口４４が表水層内に位置するので、表水層のみが取水開口４４から流入して、取水口２ａから取水できるようになる。
【００４８】
また、水位が常時満水位Ｌから最低水位Ｌ´まで下がったような場合には、電動ウインチ１５によりワイヤー３３を緩め下げることにより、各フレーム３１Ｂ〜３１Ｆが最下部のフレーム３１Ｇの上に重なり合って保持された状態となる。
【００４９】
したがって、各遮水膜３４Ｂ〜３４Ｆが最下降されるから、下降した整流板４３のフレーム３１Ａと２段目のフレーム３１Ｂとの間の取水開口４４が最低水位Ｌ´の直ぐ下の表水層内に位置するので、表水層のみが取水開口４４から流入して、取水口２ａから取水できるようになる。
【００５０】
一方、常時満水位Ｌの状態で、水温躍層の濁水を取水したいような場合には、電動ウインチ１５によりワイヤー３３を緩め下げて、下降した整流板４３のフレーム３１Ａと２段目のフレーム３１Ｂとの間の取水開口４４が水温躍層内に位置するように調整すると、水温躍層の濁水のみが取水開口４４から流入して、取水口２ａから取水できるようになる。なお、深水層のみを取水したい場合も同様にして行うことができる。
【００５１】
また、側部遮水カバー４８を設けているから、整流板４３のフレーム３１Ａと各フレーム３１Ｂ〜３１Ｇの端部７ａとの間の側部隙間から他層の水が遮水膜３４Ｂ〜３４Ｇの内部に流入することを防止することができる。
【００５２】
さらに、上部遮水カバー４９を設けているから、整流板４３のフレーム３１Ａとの間の上部隙間から水が遮水膜３４Ｂ〜３４Ｇの内部に流入することを防止できるようになる。
【００５３】
図１および図２に示した堰堤１は、垂直面であることを前提としたが、図３に示すように、堰堤１の上部が傾斜面１ａであることが多い。このような場合でも、ガイドレール４は垂直に取付けられるので、堰堤１の上部との間に、上方から下方に向かって徐々に狭くなる逆三角形状の隙間が生じるようになる。
【００５４】
このため、整流板４３のフレーム３１Ａの蓋４５と堰堤１との間の上部隙間を塞ぐ上部遮水カバー４９が最上昇時に堰堤１に接触するような奥行き寸法であれば、整流板４３のフレーム３１Ａの下降時に、傾斜面１ａから垂直面１ｂに至ると、上部遮水カバー４９が堰堤１に強く押し付けられて接触抵抗が急増して、自重で下降しにくくなることがある。
【００５５】
そこで、この上部遮水カバー４９を整流板４３のフレーム３１Ａにヒンジ部４９ａでヒンジ結合するとともに、上部遮水カバー４９の自由端部にローラ５０を取付ける。
【００５６】
このようにすれば、堰堤１が傾斜している場合でも、堰堤１に倣って上部遮水カバー４９が揺動するので、上部の隙間から水が遮水膜３４Ｂ〜３４Ｇの内部に流入することを確実に防止できるとともに、堰堤１にローラ５０が接触するので、接触抵抗が減少して、上部遮水カバー４９がスムーズに揺動するようになる。
【実施例２】
【００５７】
図５〜図７はデッキタイプの実施例２であって、フロートタイプの実施例１の図１は図５に、図２は図６に、図３は図７にそれぞれ対応する。
【００５８】
実施例１では、堰堤１の前面（上流側の面）の前方に、水面Lに浮かぶフロート５が設置されて、このフロート５に電動ウインチ（昇降機）１５が設置されているのに対して、実施例２は、堰堤１の前面（上流側の面）の上部に、水面Ｌよりも上方で前方に突出するフライングデッキ（操作台）３０が設置されて、このフライングデッキ３０に、電動ウインチ（昇降機）１５が設置されている構成のみが相違し、その他の構成および作用効果は、実施例１と同じであるから、実施例１と同一番号を付して詳細な説明は省略する。
【００５９】
実施例１のフロート５に代えて、実施例２のようなフライングデッキ３０を用いると、フライングデッキ３０には、堰堤１の頂部から梯子などを利用して簡単に乗り移ることができる。
【００６０】
そして、電動ウインチ１５は、堰堤１に設置したフライングデッキ３０に取付けているから、堰堤１からフライングデッキ３０に乗り移るだけで電動ウインチ１５の日常的な保守・点検作業が簡単に行えるようになる。また、波浪の影響による無理な荷重が電動ウインチ１５に作用しなくなるので、電動ウインチ１５の耐久性が向上するようになる。
【００６１】
上記実施例１，２においては、基本的には、電動ウインチ１５を取付けたフロート５またはフライングデッキ３０と、遮水膜３４Ｂ〜３４Ｇを有するフレーム３１Ｂ〜３４Ｇ、およびゴム製遮水膜製の蓋４５を水平に張って取付けた最上部のフレーム３１Ａでなる整流板４３とを設ければ良いから、構造が簡単でコスト安であり、既存のダムに本実施例の選択取水設備を新たに設置する場合には、放流の一時停止やダム湖をドライにする必要などが全くなく、通常の放流を継続しながらの施工が可能であるから、土木構造物との取り合いを最小限に減らして施工を簡素化できるようになる。
【００６２】
また、上下多段で設けたフレーム３１Ｂ〜３１Ｇの各遮水膜３４Ｂ〜３４Ｇを上下方向にオーバーラップさせることにより、水深の異なるダム湖でも段数を変更するだけで容易に適用できるから、設置工事コストが安くできる。
【００６３】
さらに、遮水膜３４Ｂ〜３４Ｇは、フレキシビリティを有する合成ゴム若しくは合成樹脂製、あるいは布製であるから、軽量であるので据え付け工事が容易であり、フレーム３１Ａ〜３１Ｇの昇降も容易であるとともに、コストが安くできる。なお、遮水膜３４Ｂ〜３４Ｇは金属製であってもよい。
【００６４】
上記各実施例は、堰堤１に取水口２ａが形成されたものであったが、発電取水などのように、ダム湖の横護岸に取水口２ａが形成されたものであっても良い。また、取水口２ａは、ダムの堰堤１の下部（ダム底付近）に形成されたものであったが、中間部と下部との間に形成されたものであっても良い。
【００６５】
上記各実施例において、上記取水口２ａ近くの堰堤１に水深方向の水温を計測する水温計を設けて、上流流入水温と同じ水温レベルから取水できるように電動ウインチ１５により整流板４３のフレーム３１Ａと各フレーム３１Ｂ〜３１Ｆとともに遮水膜３４Ｂ〜３４Ｆを昇降制御して、上流流入水温と同じ水温の層の水を取水して放流することができる。
【００６６】
また、上記取水口２ａ近くの堰堤１に水深方向の濁度を計測する濁度計を設けて、この濁度に応じて電動ウインチ１５により整流板４３のフレーム３１Ａと各フレーム３１Ｂ〜３１Ｆとともに遮水膜３４Ｂ〜３４Ｆを昇降制御して、濁りの有る層または無い層の水を取水して放流することもできる。
【図面の簡単な説明】
【００６７】
【図１】本発明にかかる実施例１のフロートタイプの選択取水設備であり、（ａ）は正面図、（ｂ）は側面断面図である。
【図２】（ａ）はフロートの平面図、（ｂ）は整流板の平面図、（ｃ）はフレームの平面図である。
【図３】傾斜した堰堤に適したフロートタイプの選択取水設備であり、（ａ）は側面断面図、（ｂ）はフロートの平面図、（ｃ）は整流板の平面図である。
【図４】（ａ）はフレームの端部の平面断面図、（ｂ）はフレームの要部側面断面図、（ｃ）電動ウインチの平面図である。
【図５】本発明にかかる実施例２のフライングデッキタイプの選択取水設備であり、（ａ）は正面図、（ｂ）は側面断面図である。
【図６】（ａ）はフライングデッキの平面図、（ｂ）は整流板の平面図、（ｃ）はフレームの平面図である。
【図７】傾斜した堰堤に適したフライングデッキタイプの選択取水設備であり、（ａ）は側面断面図、（ｂ）はフライングデッキの平面図、（ｃ）は整流板の平面図である。
【図８】先行技術の選択取水設備の斜視図である。
【図９】（ａ）は上層取水時の側面断面図、（ｂ）は全層取水時の側面断面図である。
【符号の説明】
【００６８】
１      堰堤
２ａ    取水口
４      ガイドレール
５      フロート
１５    電動ウインチ（昇降機）
３０    フライングデッキ（デッキ）
３１Ａ〜３１Ｇ  フレーム
３３    ワイヤー
３４Ｂ〜３４Ｇ  遮水膜
４３    整流板
４４    取水開口
４５    蓋
４６    チェーン
４８    側部遮水カバー
４９    上部遮水カバー
４９ａ  ヒンジ部
５０    ローラ
【図１】
2005061001.tif 000003
【図２】
2005061001.tif 000004
【図３】
2005061001.tif 000005
【図４】
2005061001.tif 000006
【図５】
2005061001.tif 000007
【図６】
2005061001.tif 000008
【図７】
2005061001.tif 000009
【図８】
2005061001.tif 000010
【図９】
2005061001.tif 000011